【手続補正書】
【提出日】平成27年5月19日(2015.5.19)
【手続補正１】
【補正対象書類名】明細書
【補正対象項目名】００４３
【補正方法】変更
【補正の内容】
【００４３】
特定の例示的実施形態及び方法を本明細書に開示したが、前述の開示内容から、当業者には、本開示の精神及び範囲から逸脱することなくこのような実施形態及び方法に変更及び修正を加えることが可能であることは明らかであろう。その他多数の本開示の実施例があり、各実施例はその詳細事項においてのみ他と異なる。したがって、本開示は特許請求の範囲及び適用法の規則及び原理によって必要とされる範囲にのみ制限されることが意図されている。
また、本発明は以下に記載する態様を含む。
（態様１）
安全でないネットワーク内で動作する安全でないモバイルデバイス（１０５、３１０）を使用して、安全なネットワーク（３２０）との通信を確立するための方法であって、
モバイルデバイス識別子を安全なネットワーク（３２０）に伝えることと、
前記安全なネットワーク（３２０）内のモバイルデバイスマネージャ（１３０、３８０）により、前記モバイルデバイス識別子を認証することと、並びに
前記モバイルデバイス（１０５、３１０）と前記安全なネットワーク（３２０）との間に安全な接続（１３６、１３７）を確立することと
を含む方法。
（態様２）
前記モバイルデバイス識別子は、セルラーネットワーク、Ｗｉ−Ｆｉネットワーク、及び帯域外ネットワークのうちの少なくとも１つを経由して、前記安全なネットワーク（３２０）に伝えられる、態様１に記載の方法。
（態様３）
前記方法は、前記モバイルデバイスマネージャ（１３０、３８０）により、前記モバイルデバイス識別子に対する要求を送信することをさらに含む、態様１又は２に記載の方法。
（態様４）
前記モバイルデバイス識別子はインターネットプロトコル（ＩＰ）アドレスである、態様１〜３のいずれか１つに記載の方法。
（態様５）
前記モバイルデバイス識別子は一意的な識別（ＩＤ）コードである、態様１〜４のいずれか１つに記載の方法。
（態様６）
前記方法は、前記モバイルデバイスマネージャ（１３０、３８０）により、前記モバイルデバイス（１０５、３１０）のユーザーを認証することをさらに含む、態様１〜５のいずれか１つに記載の方法。
（態様７）
前記モバイルデバイス（１０５、３１０）のユーザーは、該ユーザーのバイオメトリクスを使用することによって認証される、態様６に記載の方法。
（態様８）
前記モバイルデバイス（１０５、３１０）は、前記モバイルデバイス（１０５、３１０）の位置を決定することによって認証される、態様１〜７のいずれか１つに記載の方法。
（態様９）
前記方法は、
前記モバイルデバイス（１０５、３１０）により、暗号化された安全なデータを前記安全なネットワーク（３２０）から受信することと、並びに
前記モバイルデバイス（１０５、３１０）により、モバイルデバイスセキュリティソフトウェアを使用して、受信した暗号化された安全なデータを復号化することと
をさらに含む、態様１〜８のいずれか１つに記載の方法。
（態様１０）
前記方法は、
前記モバイルデバイス（１０５、３１０）により、モバイルデバイスセキュリティソフトウェアを使用して、安全でないデータを暗号化することと、並びに
前記モバイルデバイス（１０５、３１０）により、前記暗号化されたデータを前記安全なネットワーク（３２０）に送信することと
をさらに含む、態様１〜８のいずれか１つに記載の方法。
（態様１１）
安全なネットワーク（３２０）との通信の確立に使用される安全でないネットワーク内で動作する安全でないモバイルデバイス（１０５、３１０）であって、
モバイルデバイス識別子を前記安全なネットワーク（３２０）に伝えるように構成されている送信機と、
前記安全なネットワーク（３２０）から暗号化された安全なデータを受信するように構成されている受信機と、並びに
モバイルデバイスセキュリティソフトウェアを使用して、前記受信した暗号化された安全なデータを復号化するように構成されているプロセッサと
を含むモバイルデバイス（１０５、３１０）。
（態様１２）
前記モバイルデバイスセキュリティソフトウェアは、暗号化ソフトウェア、復号化ソフトウェア、及び強制固定宛先アドレス指定ソフトウェアのうちの少なくとも１つを含む態様１１に記載のモバイルデバイス（１０５、３１０）。
（態様１３）
前記モバイルデバイス識別子はインターネットプロトコル（ＩＰ）アドレスである、態様１１又は１２に記載のモバイルデバイス（１０５、３１０）。
（態様１４）
前記モバイルデバイス識別子は一意的な識別（ＩＤ）コードである、態様１１〜１３のいずれか１つに記載のモバイルデバイス（１０５、３１０）。
（態様１５）
前記プロセッサは、前記モバイルデバイスセキュリティソフトウェアを使用して、安全でないデータを暗号化するようにさらに構成されており、前記送信機は、前記暗号化されたデータを前記安全なネットワーク（３２０）に送信するようにさらに構成されている、態様１１〜１４のいずれか１つに記載のモバイルデバイス（１０５、３１０）。
【手続補正２】
【補正対象書類名】特許請求の範囲
【補正対象項目名】全文
【補正方法】変更
【補正の内容】
【特許請求の範囲】
【請求項１】
安全でないネットワーク内で動作する安全でないモバイルデバイス（１０５、３１０）を使用して、安全なネットワーク（３２０）との通信を確立するための方法であって、
モバイルデバイス識別子を安全なネットワーク（３２０）に伝えることと、
前記安全なネットワーク（３２０）内のモバイルデバイスマネージャ（１３０、３８０）により、前記モバイルデバイス識別子を認証することと、並びに
前記モバイルデバイス（１０５、３１０）と前記安全なネットワーク（３２０）との間に安全な接続（１３６、１３７）を確立することと
を含む方法。
【請求項２】
前記モバイルデバイス識別子は、セルラーネットワーク、Ｗｉ−Ｆｉネットワーク、及び帯域外ネットワークのうちの少なくとも１つを経由して、前記安全なネットワーク（３２０）に伝えられる、請求項１に記載の方法。
【請求項３】
前記方法は、前記モバイルデバイスマネージャ（１３０、３８０）により、前記モバイルデバイス識別子に対する要求を送信することをさらに含む、請求項１又は２に記載の方法。
【請求項４】
前記モバイルデバイス識別子はインターネットプロトコル（ＩＰ）アドレスである、請求項１〜３のいずれか一項に記載の方法。
【請求項５】
前記モバイルデバイス識別子は一意的な識別（ＩＤ）コードである、請求項１〜４のいずれか一項に記載の方法。
【請求項６】
前記方法は、前記モバイルデバイスマネージャ（１３０、３８０）、該ユーザーのバイオメトリクスを使用すること、又は、前記モバイルデバイス（１０５、３１０）の位置を決定することのうちの少なくとも１つにより、前記モバイルデバイス（１０５、３１０）のユーザーを認証することをさらに含む、請求項１〜５のいずれか一項に記載の方法。
【請求項７】
前記方法は、
前記モバイルデバイス（１０５、３１０）により、暗号化された安全なデータを前記安全なネットワーク（３２０）から受信することと、並びに
前記モバイルデバイス（１０５、３１０）により、モバイルデバイスセキュリティソフトウェアを使用して、受信した暗号化された安全なデータを復号化することと
をさらに含む、請求項１〜６のいずれか一項に記載の方法。
【請求項８】
前記方法は、
前記モバイルデバイス（１０５、３１０）により、モバイルデバイスセキュリティソフトウェアを使用して、安全でないデータを暗号化することと、並びに
前記モバイルデバイス（１０５、３１０）により、前記暗号化されたデータを前記安全なネットワーク（３２０）に送信することと
をさらに含む、請求項１〜７のいずれか一項に記載の方法。
【請求項９】
安全なネットワーク（３２０）との通信の確立に使用される安全でないネットワーク内で動作する安全でないモバイルデバイス（１０５、３１０）であって、
モバイルデバイス識別子を前記安全なネットワーク（３２０）に伝えるように構成されている送信機と、
前記安全なネットワーク（３２０）から暗号化された安全なデータを受信するように構成されている受信機と、並びに
モバイルデバイスセキュリティソフトウェアを使用して、前記受信した暗号化された安全なデータを復号化するように構成されているプロセッサと
を含むモバイルデバイス（１０５、３１０）。
【請求項１０】
前記モバイルデバイスセキュリティソフトウェアは、暗号化ソフトウェア、復号化ソフトウェア、及び強制固定宛先アドレス指定ソフトウェアのうちの少なくとも１つを含む請求項９に記載のモバイルデバイス（１０５、３１０）。
【請求項１１】
前記モバイルデバイス識別子はインターネットプロトコル（ＩＰ）アドレスである、請求項９又は１０に記載のモバイルデバイス（１０５、３１０）。
【請求項１２】
前記モバイルデバイス識別子は一意的な識別（ＩＤ）コードである、請求項９〜１１のいずれか一項に記載のモバイルデバイス（１０５、３１０）。
【請求項１３】
前記プロセッサは、前記モバイルデバイスセキュリティソフトウェアを使用して、安全でないデータを暗号化するようにさらに構成されており、前記送信機は、前記暗号化されたデータを前記安全なネットワーク（３２０）に送信するようにさらに構成されている、請求項９〜１２のいずれか一項に記載のモバイルデバイス（１０５、３１０）。